(57)【要約】【課題】プラント監視制御に用いられる操作フレームの表示に当たって、簡単な操作により表示の順番を変えることができるプラント監視制御装置を得る。【解決手段】データ管理装置１により、複数のプラントに対応して、それぞれ操作フレームの表示順番が決められた特徴を有する管理表２を作成し、この管理表２から各プラントに対応した操作フレームの表示順番を有する特徴を抽出して監視制御装置用データ３として、監視制御装置５に入力させると、監視制御装置５では、選択部５１により、いずれかの特徴を選択し、並び替え部５２により、選択された特徴の表示順番に基づき、別途作成された監視制御対象プラントの操作フレームの表示順番を示すフレームリスト４の並び替えを行い、表示部５３が、並び替えられた操作フレームの表示順番により、監視制御対象プラントの操作フレーム画面７を表示する。【選択図】図１
2012128632.tif 000002
【特許請求の範囲】
【請求項１】
プラントを構成する操作対象をそれぞれ操作するための複数の操作フレームを表示した画面を用いて、上記プラントの監視制御を行うプラント監視制御装置であって、
複数のプラントの監視制御でそれぞれ用いられた複数の操作フレームの表示順番を、複数の表示属性として登録する表示属性登録手段、
及びこの表示属性登録手段により登録された複数の上記表示属性のうちの選択された表示属性の表示順番に基づき、監視制御対象のプラントの操作フレームを画面表示する監視制御手段を備え、
上記監視制御手段は、
上記表示属性登録手段により登録された複数の上記表示属性を表示し、利用者に選択させる表示属性選択部と、
この表示属性選択部で選択された上記表示属性の表示順番に基づき、別途作成された上記監視制御対象のプラントの操作フレームの表示順番の並び替えを行う並び替え部と、
この並び替え部により並び替えられた上記操作フレームの表示順番により、上記監視制御対象のプラントの操作フレームを画面表示する表示部とを有することを特徴とするプラント監視制御装置。
【請求項２】
上記表示属性登録手段と上記監視制御手段とは、一つの計算機に搭載されていることを特徴とする請求項１記載のプラント監視制御装置。
【請求項３】
プラントの系統図を表示した画面を用いて、上記プラントの監視制御を行うプラント監視制御装置であって、
複数のプラントの監視制御でそれぞれ用いられた複数の系統図の表示順番を、複数の表示属性として登録する表示属性登録手段、
及びこの表示属性登録手段により登録された複数の上記表示属性のうちの選択された表示属性の表示順番に基づき、監視制御対象のプラントの系統図を画面表示する監視制御手段を備え、
上記監視制御手段は、
上記表示属性登録手段により登録された複数の上記表示属性を表示し、利用者に選択させる表示属性選択部と、
この表示属性選択部で選択された上記表示属性の表示順番に基づき、別途作成された上記監視制御対象のプラントの系統図の表示順番の並び替えを行う並び替え部と、
この並び替え部により並び替えられた上記系統図の表示順番により、上記監視制御対象のプラントの系統図を画面表示する表示部とを有することを特徴とするプラント監視制御装置。
【請求項４】
上記監視制御手段は、上記並び替え部により並び替えられた上記監視制御対象のプラントの操作フレームの表示順番を編集する編集部を有し、
上記表示部は、上記編集部により編集された上記操作フレームの表示順番により、上記監視制御対象のプラントの操作フレームを画面表示することを特徴とする請求項１または請求項２記載のプラント監視制御装置。
【請求項５】
上記表示属性で、表示順番が決められた操作フレームと、上記監視制御対象のプラントの操作フレームとを比較する比較部を有し、
上記比較部による比較の結果、上記監視制御対象のプラントの操作フレームのうち、上記表示属性における操作フレームと一致した操作フレームについては、上記表示属性における上記操作フレームの表示順番に基づき、上記並び替え部による並び替えを行い、
上記比較部による比較の結果、上記監視制御対象のプラントの操作フレームのうち、上記表示属性における操作フレームと一致しない操作フレームについては、上記編集部により、上記並び替えられた上記監視制御対象のプラントの操作フレームの表示順番中に挿入することを特徴とする請求項４記載のプラント監視制御装置。
【発明の詳細な説明】
【技術分野】
【０００１】
この発明は、プラントを監視制御するに当たって、監視制御対象をそれぞれ操作するための複数の操作フレームを画面上に表示するプラント監視制御装置に関するものである。
【背景技術】
【０００２】
従来では、プラント監視制御装置において、操作を実施する対象をそれぞれに有する複数の操作フレームを画面上に表示する際に、適用するプラント毎に表示する操作フレームの順番を変えるべく、マンマシン操作によって、すべて手入力によって順番の割付登録を行っていた。
操作フレームを自動で表示させる手段としては、例えば、当該プラントにおける運転手順（特許文献１参照）などに従い表示させる例がある。
【先行技術文献】
【特許文献】
【０００３】
【特許文献１】特開平０７−２２５６１１号公報（第４〜６頁、図２）
【発明の概要】
【発明が解決しようとする課題】
【０００４】
しかしながら、従来では上述のように、適用するプラントによって表示する操作フレームの順番を変える場合には、マンマシン操作によって、すべて手入力によって順番の割付登録を行っていたので、手間がかかるとともに、信頼性にも問題があった。
【０００５】
この発明は、上述のような課題を解決するためになされたものであり、プラント監視制御に用いられる操作フレームの表示に当たって、簡単な操作により表示の順番を変えることができるプラント監視制御装置を得ることを目的にしている。
【課題を解決するための手段】
【０００６】
この発明に係わるプラント監視制御装置においては、プラントを構成する操作対象をそれぞれ操作するための複数の操作フレームを表示した画面を用いて、プラントの監視制御を行うプラント監視制御装置であって、複数のプラントの監視制御でそれぞれ用いられた複数の操作フレームの表示順番を、複数の表示属性として登録する表示属性登録手段、及びこの表示属性登録手段により登録された複数の表示属性のうちの選択された表示属性の表示順番に基づき、監視制御対象のプラントの操作フレームを画面表示する監視制御手段を備え、監視制御手段は、表示属性登録手段により登録された複数の表示属性を表示し、利用者に選択させる表示属性選択部と、この表示属性選択部で選択された表示属性の表示順番に基づき、別途作成された監視制御対象のプラントの操作フレームの表示順番の並び替えを行う並び替え部と、この並び替え部により並び替えられた操作フレームの表示順番により、監視制御対象のプラントの操作フレームを画面表示する表示部とを有するものである。
【発明の効果】
【０００７】
この発明は、以上説明したように、プラントを構成する操作対象をそれぞれ操作するための複数の操作フレームを表示した画面を用いて、プラントの監視制御を行うプラント監視制御装置であって、複数のプラントの監視制御でそれぞれ用いられた複数の操作フレームの表示順番を、複数の表示属性として登録する表示属性登録手段、及びこの表示属性登録手段により登録された複数の表示属性のうちの選択された表示属性の表示順番に基づき、監視制御対象のプラントの操作フレームを画面表示する監視制御手段を備え、監視制御手段は、表示属性登録手段により登録された複数の表示属性を表示し、利用者に選択させる表示属性選択部と、この表示属性選択部で選択された表示属性の表示順番に基づき、別途作成された監視制御対象のプラントの操作フレームの表示順番の並び替えを行う並び替え部と、この並び替え部により並び替えられた操作フレームの表示順番により、監視制御対象のプラントの操作フレームを画面表示する表示部とを有するので、プラント監視制御に用いられる操作フレームの表示に当たって、登録された表示属性を利用した簡単な操作により操作フレームの表示の順番を変えることができる。
【図面の簡単な説明】
【０００８】
【図１】この発明の実施の形態１によるプラント監視制御装置を示すシステム構成図である。
【図２】この発明の実施の形態１によるプラント監視制御装置のデータ管理装置で作られる管理表を示す図である。
【図３】この発明の実施の形態１によるプラント監視制御装置の管理表から作られる監視制御装置用データを示す図である。
【図４】この発明の実施の形態１によるプラント監視制御装置の適用プラントのフレームリストを示す図である。
【図５】この発明の実施の形態１によるプラント監視制御装置の監視制御装置の選択部のマンマシン画面を示す図である。
【図６】この発明の実施の形態１によるプラント監視制御装置の監視制御装置の処理を示すフローチャートである。
【図７】この発明の実施の形態１によるプラント監視制御装置の監視制御装置の表示結果の画面例を示す図である。
【図８】この発明の実施の形態２によるプラント監視制御装置を示すシステム構成図である。
【図９】この発明の実施の形態３によるプラント監視制御装置を示すシステム構成図である。
【図１０】この発明の実施の形態３によるプラント監視制御装置のデータ管理装置で作られる管理表を示す図である。
【図１１】この発明の実施の形態３によるプラント監視制御装置の管理表から作られる監視制御装置用データを示す図である。
【図１２】この発明の実施の形態３によるプラント監視制御装置の適用プラントの系統図リストを示す図である。
【図１３】この発明の実施の形態３によるプラント監視制御装置の監視制御装置の選択部のマンマシン画面を示す図である。
【図１４】この発明の実施の形態３によるプラント監視制御装置の監視制御装置の処理を示すフローチャートである。
【図１５】この発明の実施の形態３によるプラント監視制御装置の監視制御装置の表示結果の画面例を示す図である。
【図１６】この発明の実施の形態４によるプラント監視制御装置を示すシステム構成図である。
【図１７】この発明の実施の形態４によるプラント監視制御装置の監視制御装置の処理を示すフローチャートである。
【図１８】この発明の実施の形態４によるプラント監視制御装置の保存されたフレームリストの編集画面を示すイメージ図である。
【図１９】この発明の実施の形態５によるプラント監視制御装置を示すシステム構成図である。
【図２０】この発明の実施の形態５によるプラント監視制御装置の監視制御装置の処理を示すフローチャートである。
【図２１】この発明の実施の形態５によるプラント監視制御装置の保存されたフレームリストの編集画面を示すイメージ図である。
【発明を実施するための形態】
【０００９】
実施の形態１．
実施の形態１は、新たに作成する適用プラント（実際に監視制御されるプラント）における操作フレームの表示順番を、すでに蓄積されているプラントの操作フレームの表示順番に基いて作成し、作成の効率を上げるものである。
図１は、この発明の実施の形態１によるプラント監視制御装置を示すシステム構成図である。
図１において、プラント監視制御装置は、データ管理装置１と監視制御装置５を有し、それぞれ記憶装置と表示装置を備えた計算機により構成されている。
データ管理装置１（表示属性登録手段）では、マンマシン画面での入力により管理表２を作成する。管理表２は、すでに蓄積されている複数の類似プラントの操作フレーム（操作対象ごとのウィンドウ）の並び順（表示順番）の特徴（表示属性）を記載したものであり、図２で後述する。また、データ管理装置１は、管理表２から、それぞれのプラントの並び順（表示順番）の特徴（表示属性）を抜粋した監視制御装置用データ３を作成する。この監視制御装置用データ３は図３で後述する。
【００１０】
監視制御装置５（監視制御手段）は、実際のプラントの操作監視を行うものであり、選択部５１と並び替え部５２と表示部５３を有している。
選択部５１（表示属性選択部）は、管理表２から作成される監視制御装置用データ３の各プラントの特徴のうちの、適用プラントに類似した特徴を選択する。
並び替え部５２は、選択部５１により選択された特徴の操作フレーム並び順に基づき、適用プラントの構成機器をリストにしたフレームリスト４の並び替えを行う。このフレームリスト４は、予め作成されている。
表示部５３は、並び替え部５２により並び替えられたフレームリスト４に基づき、操作フレーム画面７を表示装置に表示する。
【００１１】
図２は、この発明の実施の形態１によるプラント監視制御装置のデータ管理装置で作られる管理表を示す図である。
図２において、管理表２は、例えば、プラントＡ、プラントＢ、プラントＣについて、それぞれ特徴Ａ、Ｂ、Ｃ２２として、機器名称である操作フレーム名称２３と操作フレーム名称番号２１との対を、プラント割付並び順（操作フレームの並び順）に格納した表である。
ここで、操作フレーム名称番号２１は、各プラントで類似する機器に同じ番号を付番したものである。
【００１２】
図３は、この発明の実施の形態１によるプラント監視制御装置の管理表から作られる監視制御装置用データを示す図である。
図３において、監視制御装置用データ３は、データ管理装置１で管理表２から作られ、プラントごとの特徴Ａ、Ｂ、Ｃ２２として、操作フレーム名称番号２１のみをプラント割付並び順に格納した表である。
【００１３】
図４は、この発明の実施の形態１によるプラント監視制御装置の適用プラントのフレームリストを示す図である。
図４において、適用プラントのフレームリスト４は、適用プラントを構成する操作フレーム名称４３と操作フレーム名称番号４１の対を、予めマンマシン画面での入力により作成したものである。
【００１４】
図５は、この発明の実施の形態１によるプラント監視制御装置の監視制御装置の選択部のマンマシン画面を示す図である。
図５において、マンマシン画面６は、表示部５３により表示され、図３の特徴Ａ、Ｂ、Ｃのうちからいずれかを選択するためのスイッチ６２を有する。
【００１５】
図６は、この発明の実施の形態１によるプラント監視制御装置の監視制御装置の処理を示すフローチャートである。
【００１６】
図７は、この発明の実施の形態１によるプラント監視制御装置の監視制御装置の表示結果の画面例を示す図である。
図７において、操作フレームを表示する操作フレーム画面７は、各操作フレーム７１をプラント割付並び順に表示する。
【００１７】
次に、動作について説明する。
データ管理装置１では、まず図２に示すような管理表２を作成する。この管理表２には、複数のプラント、例えば、プラントＡ、プラントＢ、プラントＣについて、それぞれプラント割付並び順の特徴Ａ、Ｂ、Ｃ２２として、操作フレーム名称２３と操作フレーム名称番号２１との対（この対を操作フレームと称す場合もある）が操作フレーム並び順に格納されている。
ここで、各プラント割付並び順の特徴２２は、例えば、運転操作手順の順番、プラント系統配管に繋がっている補機・弁の順番、補機・弁の種類毎に並べているなど、各プラントにおける並べ方の思想に応じて形成される。
また、各プラントで類似する機器に付番される操作フレーム名称番号２１の例として、○○弁は、どのプラントの特徴２２でも「１」が付番されている。各プラントにおいて、全く同じ名称の補機・弁があるとは限らないが、同じ機能を有するものは同じ操作フレーム名称番号２１が付番されている。
例えば、ドレン弁とドレン２次弁とＤ２弁は、同じ機能を有するものとして、同じ操作フレーム名称番号２１が付番される。
【００１８】
次に、管理表２から、図３に示すような適用プラントの監視制御装置用データ３を作成する。監視制御装置用データ３は、各プラント割付並び順の特徴２２と操作フレーム名称番号２１をプラント割付並び順に格納したものである。
この監視制御装置用データ３は、適用プラントの操作フレーム名称４３と操作フレーム名称番号４１とを有するフレームリスト４（図４）とともに、適用プラントの監視制御装置５に用いられる。
【００１９】
次に、適用プラントの監視制御装置の処理について、図６のフローチャートを用いて説明する。
まず、表示部５３により、複数の監視制御装置用データの特徴２２を表示したマンマシン画面６を表示装置に表示する（Ｓ１）。
利用者が、いずれかの特徴２２を選択すると、選択部５１は、これを検知する（Ｓ２）。
次いで、並び替え部５２は、選択された特徴２２の操作フレーム名称番号２１の順になるように、適用プラントのフレームリスト４の操作フレーム名称番号４１及び操作フレーム名称４３の対を並び替える（Ｓ３）。
表示部５３は、並び替えられたフレームリスト４を、操作フレームの並び順にしたがって、図７の操作フレーム画面７に各操作フレームを表示する（Ｓ４）。
これにより、例えば、特徴２２を選択することにより、特徴２２のプラント割付並び順にしたがって、フレームリスト４の操作フレームを並び替え、並び替えられた操作フレームの並び順にしたがってフレームリスト４の各操作フレームを表示することができる。
【００２０】
なお、上述では、選択部５１で選択するときの特徴を、監視制御装置用データ３から選択しているが、管理表２から直接、選択するようにしてもよい。
また、監視制御装置用データ３は、データ管理装置１により生成されるものとして説明したが、他の装置によって生成してもよい。
これらは、以下の実施の形態でも同様である。
【００２１】
実施の形態１によれば、適用プラントの操作フレームの表示に当たって、特徴を選択することにより、その選択された特徴を基にした適用プラントの操作フレームの表示順番の並び替えを簡単に実施することが可能になる。
【００２２】
実施の形態２．
図８は、この発明の実施の形態２によるプラント監視制御装置を示すシステム構成図である。
図８において、プラント監視制御装置８は、データ管理部８１（表示属性登録手段）と監視制御部８２（監視制御手段）から構成される。
ここで、データ管理部８１は、図１のデータ管理装置１と同じ機能を有し、監視制御部８２は、図１の監視制御装置５と同じ機能を有する。
【００２３】
実施の形態１では、プラント監視制御装置のデータ管理装置１と監視制御装置５は、別の計算機により構成されているため、二つの装置の管理が必要となり、煩雑なシステムとなっている。
このため、実施の形態２では、図８のように、二つの機能、データ管理部８１と監視制御部８２を一つのプラント監視制御装置８内に具備し、一つの計算機により一括管理するようにした。
【００２４】
実施の形態２によれば、プラント監視制御装置を一体化することで、煩雑なシステムを一元管理することが可能になる。
【００２５】
実施の形態３．
実施の形態１では、操作フレームの並び順を自由に実施することが可能であった。実施の形態３では、操作フレームに替えて、他の機能、例えば系統図にも適用し、自由に系統図の並び順を替えるようにする。
図９は、  この発明の実施の形態３によるプラント監視制御装置を示すシステム構成図である。
図９において、１、５、５１、５２、５３は図１におけるものと同一のものである。
図９では、データ管理装置１（表示属性登録手段）は、操作フレーム名称を系統図名称に代えた管理表９を作成し、この管理表９から、監視制御装置用データ１０が作成され、選択部５１（表示属性選択部）に入力される。選択部５１により、選択された特徴（表示属性）に基づき、並び替え部５２は、系統図リスト１１を並び替え、表示部５３が、並び替えられた系統図リスト１１に基づき、複数の系統図を表示する系統図画面１４を出力するようになっている。
【００２６】
図１０は、この発明の実施の形態３によるプラント監視制御装置のデータ管理装置で作られる管理表を示す図である。
図１０において、管理表９は、例えば、プラントＡ、プラントＢ、プラントＣについて、それぞれプラント割付並び順の特徴Ａ、Ｂ、Ｃ９２として、系統図名称２３と系統図名称番号９１との対を、プラント割付並び順に格納している。
ここで、系統図名称番号９１は、各プラントで類似する系統図に同じ番号を付番したものである。
【００２７】
図１１は、この発明の実施の形態３によるプラント監視制御装置の管理表から作られる監視制御装置用データを示す図である。
図１１において、監視制御装置用データ１０は、管理表９から作られ、プラント割付並び順の特徴Ａ、Ｂ、Ｃ９２として、系統図名称番号９１のみを系統図の並び順に格納している。
【００２８】
図１２は、この発明の実施の形態３によるプラント監視制御装置の適用プラントの系統図リストを示す図である。
図１２において、適用プラントの系統図リスト１１は、適用プラントの系統図名称１１３と系統図名称番号１１１の対を格納したリストである。
【００２９】
図１３は、この発明の実施の形態３によるプラント監視制御装置の監視制御装置の選択部のマンマシン画面を示す図である。
図１３において、表示部５３により表示されるマンマシン画面１２は、図１１の特徴Ａ、Ｂ、Ｃのうちのいずれかを選択するためのスイッチ１２１を有する。
【００３０】
図１４は、この発明の実施の形態３によるプラント監視制御装置の監視制御装置の処理を示すフローチャートである。
【００３１】
図１５は、この発明の実施の形態３によるプラント監視制御装置の監視制御装置の表示結果の画面例を示す図である。
図１５において、系統図画面１４は、各系統図１４１をプラント割付並び順に表示する。
【００３２】
次に、動作について説明する。
データ管理装置１では、まず図１０に示すような管理表９を作成する。この管理表９には、複数のプラント、例えば、プラントＡ、プラントＢ、プラントＣについて、それぞれプラント割付並び順の特徴Ａ、Ｂ、Ｃ９２として、系統図名称９３と系統図名称番号９１との対が、プラント割付並び順に格納されている。
ここで、各プラント割付並び順の特徴９２は、各プラントによって異なり、例えば、制御装置ごとに並べるものや、配管によって並べるようになっている。
系統図名称番号９１は、各プラントで類似する系統図には、同じ番号を付番する。例として、○○系統図は、どのプラントでも「１」を付番する。
【００３３】
次に、管理表９から、図１１に示すような適用プラントの監視制御装置用データ１０を作成する。監視制御装置用データ１０は、各プラントの特徴９２ごとに、系統図名称番号９１をプラント割付並び順に格納したものである。
この作成された監視制御装置用データ１０は、適用プラントの系統図名称１１３と系統図名称番号１１１を有する系統図リスト１１（図１２）とともに、適用プラントの監視制御装置５で用いられる。
【００３４】
次に、適用プラントの監視制御装置５の処理について、図１４のフローチャートを用いて説明する。
まず、表示部５３により、複数の監視制御装置用データ１０の特徴９２を、マンマシン画面１２に表示する（Ｓ１１）。
利用者が、いずれかの特徴９２を選択すると、選択部５１は、これを検知する（Ｓ１２）。
次いで、並び替え部５２は、選択された特徴９２の系統図名称番号９１の並び順になるように、適用プラントの系統図リスト１１の系統図名称番号１１１及び系統図名称１１３の対を並び替える（Ｓ１３）。
表示部５３は、並び替えられた系統図リスト１１に基づき、図１５の系統図画面１４に各系統図１４１を表示する（Ｓ１４）。この系統図１４１は、各頁に表示される。
このように、特徴９２を選択することにより、系統図リスト１１に対応する系統図の並び順を簡単に替えて表示することができるようになる。
【００３５】
実施の形態３によれば、系統図についても、操作フレームと同様に系統図画面への表示順番の並び替えを簡単に行うことができる。
【００３６】
実施の形態４．
実施の形態１では、特徴Ａ、特徴Ｂなどの特徴に対応してフレームリスト４を並び替えるようになっており、特徴に対応したプラント割付並び順の変更ができない仕組みとなっているが、実施の形態４は、適用プラントの運用に即して、特徴に対応したプラント割付並び順の変更ができる仕組みとしたものである。
図１６は、この発明の実施の形態４によるプラント監視制御装置を示すシステム構成図である。
図１６において、１〜５、７、５１〜５３は図１におけるものと同一のものである。
図１６では、監視制御装置５に、並び替えられた操作フレームリスト４を保存する保存部５４と、この保存部５４に保存された操作フレームリスト４を編集する編集部５５とを設けている。
【００３７】
図１７は、この発明の実施の形態４によるプラント監視制御装置の監視制御装置の処理を示すフローチャートである。
【００３８】
図１８は、この発明の実施の形態４によるプラント監視制御装置の保存されたフレームリストの編集画面を示すイメージ図である。
図１８において、操作フレーム４４が、操作フレームリスト４上を移動され、順番が替えられる様子が示されている。
【００３９】
次に、動作について、図１７にフローチャートを用いて説明する。
ステップＳ１〜Ｓ３は、図６の処理と同じ処理であり、その説明を省略する。
保存部５４は、ステップＳ３で並び替えられたフレームリスト４を記憶装置に保存する（Ｓ２１）。編集部５５は、この保存されたフレームリスト４を必要に応じて編集し、編集が終われば、記憶装置に再保存する（Ｓ２２）。このとき、編集部５５では、保存されたフレームリスト４上の順番を替えたい操作フレーム４４について、マンマシン操作にて選択し、挿入したい位置（図１８の場合、３番目の順番）に挿入する。
表示部５３は、記憶装置に保存されたフレームリスト４に基づいた順番で、操作フレーム画面７の各操作フレームを表示する（Ｓ２３）。
【００４０】
実施の形態４によれば、マンマシン操作にて自由に操作フレームの表示順番を変更できるようにしたことにより、適用プラントの運用に、より適した操作フレームの表示順番とすることが可能となる。
【００４１】
実施の形態５．
実施の形態１では、適用プラントのフレームリストの各操作フレームの操作フレーム名称番号が、選択された特徴の操作フレーム名称番号の中に存在しない場合には対応ができない。実施の形態５は、フレームリストの操作フレームの操作フレーム名称番号が、選択された特徴の操作フレーム名称番号の中に存在しない場合に対処するものである。
図１９は、この発明の実施の形態５によるプラント監視制御装置を示すシステム構成図である。
図１９において、１〜５、７、５１〜５５は図１６におけるものと同一のものである。図１９では、監視制御装置５に、選択部５１により選択された特徴の操作フレーム名称番号２１と、フレームリスト４の操作フレーム名称番号４１とを比較する比較部５６を設けている。
【００４２】
図２０は、この発明の実施の形態５によるプラント監視制御装置の監視制御装置の処理を示すフローチャートである。
【００４３】
図２１は、この発明の実施の形態５によるプラント監視制御装置の保存されたフレームリストの編集画面を示すイメージ図である。
図２１において、比較部５６による比較結果、選択された特徴中にある操作フレームのリストであるフレームリストＡ４ａと、選択された特徴中にない操作フレームのリストであるフレームリストＢ４ｂとが形成される。フレームリストＢ４ｂの各操作フレームは、フレームリストＡ４ａの中に挿入される。
【００４４】
次に、動作について、図２０を用いて説明する。
ステップＳ１、Ｓ２の処理は、図１７における処理と同一の処理であり、その説明を省略する。
ステップＳ２に次いで、選択された特徴の操作フレーム名称番号２１群と、フレームリスト４の操作フレーム名称番号４１群を比較し、フレームリスト４を、特徴の中にある操作フレームを収録したフレームリストＡ４ａと、特徴の中にない操作フレームを収録したフレームリストＢ４ｂとに分ける（Ｓ３１）。次に、選択された特徴に基づき、フレームリストＡ４ａの並び替えを実施する（Ｓ３２）。
【００４５】
次いで、並び替えられたフレームリストＡ４ａと、フレームリストＢ４ｂを別々に保存する（Ｓ３３）。
次いで、編集部５５は、並び替えられたフレームリストＡ４ａの操作フレームの間に、マンマシン操作によってフレームリストＢ４ｂの操作フレームを挿入し、挿入した結果のフレームリストＡ４ａを再度、保存する（Ｓ３４）。この挿入は、図２１のように、フレームリストＢ４ｂの操作フレームを、マンマシン操作にて選択し、フレームリストＡ４ａの挿入したい位置に挿入する。なお、図２１は、１つの操作フレームのみがフレームリストＢ４ｂに収録されている場合である。
表示部５３は、保存されたフレームリストＡの操作フレームの順番で操作フレーム画面７を表示する（Ｓ３５）。
【００４６】
実施の形態５によれば、選択された特徴の操作フレーム名称番号群に同じものが無く、適用プラントのフレームリストにしか存在しない操作フレームについても、その適用プラントの運用に適した、操作フレームの表示順番で表示することが可能となる。
【符号の説明】
【００４７】
１  データ管理装置
２  管理表
２１  操作フレーム名称番号
２２  各プラント割付並び順の特徴
２３  操作フレーム名称
３  監視制御装置用データ
４  フレームリスト
４１  操作フレーム名称番号
４３  操作フレーム名称
４４  移動したい操作フレーム
５  監視制御装置
５１  選択部
５２  並び替え部
５３  表示部
５４  保存部
５５  編集部
５６  比較部
６  マンマシン画面
６２  特徴を選択するスイッチ
７  操作フレーム画面
７１  操作フレーム
８  プラント監視制御装置
８１  データ管理部
８２  監視制御部
９  管理表
９１  系統図名称番号
９２  各プラント割付並び順の特徴
９３  系統図名称
１０  監視制御装置用データ
１１  系統図リスト
１１１  系統図名称番号
１１３  系統図名称
１２  マンマシン画面
１２１  特徴を選択するスイッチ
１４  系統図画面
１４１  系統図
【図１】
2012128632.tif 000003
【図２】
2012128632.tif 000004
【図３】
2012128632.tif 000005
【図４】
2012128632.tif 000006
【図５】
2012128632.tif 000007
【図６】
2012128632.tif 000008
【図７】
2012128632.tif 000009
【図８】
2012128632.tif 000010
【図９】
2012128632.tif 000011
【図１０】
2012128632.tif 000012
【図１１】
2012128632.tif 000013
【図１２】
2012128632.tif 000014
【図１３】
2012128632.tif 000015
【図１４】
2012128632.tif 000016
【図１５】
2012128632.tif 000017
【図１６】
2012128632.tif 000018
【図１７】
2012128632.tif 000019
【図１８】
2012128632.tif 000020
【図１９】
2012128632.tif 000021
【図２０】
2012128632.tif 000022
【図２１】
2012128632.tif 000023